(57)【要約】【課題】光の照射によりトナー像を熱溶融させて記録媒体上に定着させる装置において、何らかの異常により記録媒体以外に光が照射される不都合が生じた場合、光の照射を停止する仕組みを提供する。【解決手段】光発生部２１は、レーザー光を搬送路Ｓの照射位置ｐ１に搬送されてくる用紙Ｐに照射することによって、用紙Ｐ上に形成されたトナー像を用紙Ｐ上に定着させる。第１の給電部材６１及び第２の給電部材６２は、用紙Ｐが照射位置ｐ１に搬送されていない状態でレーザー光の照射を受けると、変形もしくは溶融して、光発生部２１に対する電力の供給経路を切断する。【選択図】図３
2014074847.tif 000002
【特許請求の範囲】
【請求項１】
予め定められた位置に搬送されてくる記録媒体に光を照射する光照射部と、
前記予め定められた位置に記録媒体がある状態において前記光照射部から照射される光のうち第１の光量の光の照射を受け、前記予め定められた位置に記録媒体がない状態において前記光照射部から照射される光のうち前記第１の光量よりも大きい光量である第２の光量の光の照射を受ける位置に配され、前記第２の光量の光の照射を予め定められた時間以上に継続して受けた場合、電力の供給が減少するように物性が変化する給電部材と、
前記給電部材を介して前記光照射部に電力を供給する電力供給部と
を備える定着装置。
【請求項２】
前記給電部材が前記第２の光量の光の照射によって切断される
請求項１に記載の定着装置。
【請求項３】
前記給電部材は、温度の上昇に伴った変形により前記経路を切断し、温度の下降により切断されていた前記経路を接続する
請求項１に記載の定着装置。
【請求項４】
記録媒体上にトナー像を形成する画像形成部と、
前記画像形成部により形成されたトナー像を前記記録媒体上に定着させる請求項１乃至３のいずれか１項に記載の定着装置と
を備える画像形成装置。
【発明の詳細な説明】
【技術分野】
【０００１】
本発明は、定着装置及び画像形成装置に関する。
【背景技術】
【０００２】
電子写真方式の画像形成装置における画像定着方式として、フラッシュランプを間欠点灯させることで用紙上のトナーを過熱溶融する非接触定着技術がある。さらに、近年の半導体レーザーの低価格化と高出力化に伴い、フラッシュランプを高出力の半導体レーザーに置き換えた定着装置が提案されている。
【０００３】
また、特許文献１には、熱暴走が生じた場合にそれを迅速に検知して熱源への給電を遮断して重大な損害を回避する定着装置が提案されている。特許文献２には、加熱ローラが熱変形により予め定められた方向に変異すると、ヒーターへの電力の供給を遮断する定着装置が提案されている。特許文献３には、定着部材や加圧部材の回転駆動力がなければ加熱手段への電力供給が行なわれない定着装置が提案されている。
【先行技術文献】
【特許文献】
【０００４】
【特許文献１】特開２００９−２７６５７０号公報
【特許文献２】特開２００８−２７５９４５号公報
【特許文献３】特開２００４−１３３４４４号公報
【発明の概要】
【発明が解決しようとする課題】
【０００５】
本発明は、光の照射によりトナー像を熱溶融させて記録媒体上に定着させる装置において、電気的な制御を行わずに、光の照射を停止する仕組みを提供することを目的とする。
【課題を解決するための手段】
【０００６】
本発明の請求項１に係る定着装置は、予め定められた位置に搬送されてくる記録媒体に光を照射する光照射部と、前記予め定められた位置に記録媒体がある状態において前記光照射部から照射される光のうち第１の光量の光の照射を受け、前記予め定められた位置に記録媒体がない状態において前記光照射部から照射される光のうち前記第１の光量よりも大きい光量である第２の光量の光の照射を受ける位置に配され、前記第２の光量の光の照射を予め定められた時間以上に継続して受けた場合、電力の供給が減少するように物性が変化する給電部材と、前記給電部材を介して前記光照射部に電力を供給する電力供給部とを備えることを特徴とする。
【０００７】
本発明の請求項２に係る定着装置は、請求項１に記載の定着装置において、前記給電部材が前記第２の光量の光の照射によって切断されることを特徴とする。
【０００８】
本発明の請求項３に係る定着装置は、請求項１に記載の定着装置において、前記給電部材は、温度の上昇に伴った変形により前記経路を切断し、温度の下降により切断されていた前記経路を接続することを特徴とする。
【０００９】
本発明の請求項４に係る画像形成装置は、記録媒体上にトナー像を形成する画像形成部と、前記画像形成部により形成されたトナー像を前記記録媒体上に定着させる請求項１乃至３のいずれか１項に記載の定着装置とを具備することを特徴とする。
【発明の効果】
【００１０】
請求項１及び４に係る発明によれば、光の照射によりトナーを溶融させて記録媒体に定着させる定着装置において、所定の位置に記録媒体がない状態での光照射が続いた場合、電気的な制御を行わずに、照射される光量が減少される。
請求項２に係る発明によれば、光が照射される位置に記録媒体が搬送されていない状態で光が照射された場合に、電力の供給経路が切断される。
請求項３に係る発明によれば、光が照射される位置に記録媒体が搬送されていない状態で光が照射された場合に、可逆的な状態で電力の供給経路が切断される。
【図面の簡単な説明】
【００１１】
【図１】第１の実施形態に係る画像形成装置の構成を示す図
【図２】定着装置を搬送方向上流側からみた模式図
【図３】光発生部と電力供給部とを示す図
【図４】給電部材の構成を示す図
【図５】給電遮断機構の構成を示す図
【図６】光発生部と電力供給部とを示す図
【図７】光発生部と電力供給部とを示す図
【図８】給電部材の構成を示す図
【発明を実施するための形態】
【００１２】
＜構成＞
図１は、本発明の一実施形態に係る画像形成装置１の構成を示した模式図である。画像形成装置１は、画像形成部１０、定着装置２０及び複数のロール３０を備える。また、画像形成装置１は、制御部５０、記憶部５１、操作部５２、通信部５３及び表示部５４を備える。画像形成装置１は、記録媒体の一例である用紙Ｐに電子写真方式によって画像を形成する装置であり、本発明に係る画像形成装置の一例である。画像形成装置１は、外部から受け取った画像データもしくは予め記憶された画像データに基づいて用紙Ｐに画像を形成する。なお、用紙Ｐは、例えば、Ａ列やＢ列などの予め定められた大きさの紙であるが、用紙Ｐのサイズは、これらのサイズに限定されるものではない。用紙Ｐは、用紙Ｐの搬送方向に連続した連続紙であってもよい。また、用紙Ｐの材質も、特定のものに限定されるものではない。
【００１３】
ロール３０は、用紙Ｐを搬送するロールである。ロール３０は、図示せぬモータにより回転させられ、用紙Ｐを用紙の搬送路Ｓに沿って矢印Ａの方向へ送り、用紙Ｐを画像形成部１０や定着装置２０へ搬送する。なお、搬送路Ｓについては、以下の説明では、用紙Ｐが搬送される方向である矢印Ａの方向を下流、矢印Ａとは反対の方向を上流と称する。
【００１４】
画像形成部１０は、画像データに基づいてイエロー（Ｙ）、マゼンタ（Ｍ）、シアン（Ｃ）、ブラック（Ｋ）の色毎にトナー像を形成し、形成したトナー像を用紙Ｐに転写する。そのために、画像形成部１０は、イエロー（Ｙ）、マゼンタ（Ｍ）、シアン（Ｃ）、ブラック（Ｋ）の色毎に画像形成ユニット１００Ｙ、１００Ｍ、１００Ｃ、１００Ｋを備える。画像形成ユニットは、搬送方向上流側から画像形成ユニット１００Ｋ、画像形成ユニット１００Ｃ、画像形成ユニット１００Ｍ、画像形成ユニット１００Ｙの順番で並んでいる。なお、図１に示した構成要素のうち、符号の末尾にアルファベット（Ｙ、Ｍ、Ｃ又はＫ）を付したものは、当該構成要素が前記４色のいずれかに対応するものであることを示している。各ユニットは、対応する色が異なる以外は、構成や機能は共通しているため、画像形成ユニットの構成については、画像形成ユニット１００Ｋを例にして説明する。
【００１５】
画像形成ユニット１００Ｋは、感光体１０１Ｋ、帯電装置１０２Ｋ、露光装置１０３Ｋ、現像装置１０４Ｋ、ロール１０５Ｋ、及びクリーニング装置１０６Ｋを備える。感光体１０１Ｋは、円筒状で表面に光導電層が形成された部品である。感光体１０１Ｋ（像保持体の一例）は、図示せぬモータにより回転させられ、表面にトナー像が形成される。帯電装置１０２Ｋは、コロナ放電によって感光体１０１Ｋの表面を帯電させる装置である。露光装置１０３Ｋは、光を発する光源を備えており、画像データに基づいて感光体１０１Ｋへ光を照射し、画像データに対応した静電潜像を感光体１０１Ｋに形成する。現像装置１０４Ｋは、感光体１０１Ｋに形成された静電潜像に応じたトナー像を形成（現像）する装置であり、ブラック（黒色）のトナーでトナー像を現像する。円筒状のロール１０５Ｋは、搬送路Ｓを挟んで感光体１０１Ｋに対向している。ロール１０５Ｋは、感光体１０１Ｋの表面に形成されたトナー像を、感光体１０１Ｋとロール１０５Ｋとの空隙に搬送された用紙Ｐへ転写する。クリーニング装置１０６Ｋは、用紙Ｐに転写されずに感光体１０１Ｋの表面に残留したトナーを除去する装置である。
【００１６】
定着装置２０は、画像形成部１０において用紙Ｐに転写されたトナー像を用紙Ｐに定着させる装置である。定着装置２０は、画像形成部１０より搬送路Ｓの下流側に設けられており、光発生部２１（レーザー光照射部の一例）、ベルト２２、ロール２３、ロール２４、リフレクター（集光体）２５及び電力供給部２６を備える。光発生部２１は、供給される電力を用いて、予め定められた位置に搬送されてくる用紙Ｐにレーザー光を照射することによって、用紙Ｐに形成されたトナー像を記録媒体に定着させる。ベルト２２は、トナー像が転写された用紙Ｐを搬送路Ｓの下流側へ搬送する無端ベルトである。ベルト２２はロール２３とロール２４に掛け渡されており、例えば図示せぬモータにより回転させられるロール２４により矢印Ｂの方向に移動され、用紙Ｐを搬送する。リフレクター２５は、光発生部２１により照射されたレーザー光が用紙Ｐ上で反射した光を集光する。電力供給部２６は、光発生部２１に電力を供給する。
【００１７】
図２は、定着装置２０を搬送方向上流側からみた模式図である。光発生部２１は、用紙Ｐに転写されているトナーを加熱するためのレーザー光を発生するものであり、搬送路Ｓ上を搬送される用紙Ｐに対向する位置に配置されている。光発生部２１は、照射ユニット２１０ａ〜２１０ｅを備えており、各照射ユニットは、レーザー光を発生する光源２１１と、光源２１１で発生したレーザー光を用紙Ｐへ照射する照射部２１２とを備えている。なお、図２において光源と照射部の符号の末尾に付したアルファベット（ａ、ｂ、ｃ、ｄ又はｅ）は、当該構成要素が前記照射ユニット２１０ａ〜２０１ｅのいずれかに対応するものであることを示している。各光源は、レーザー光を発生する複数のレーザー素子を備える。レーザー素子としては、例えば固体レーザーや、液体レーザー、ガスレーザー、半導体レーザー等が用いられる。各照射部は、一又は複数の光学部品を備えている。光源２１１ａで発生したレーザー光は、照射部２１２ａの光学部品で拡散されてベルト２２の方向へ照射される。他の光源２１１ｂ〜２１１ｅについても、発生したレーザー光は、符号の末尾に光源と同じアルファベットが付された照射部によって拡散されてベルト２２へ照射される。
【００１８】
照射ユニット２１０ａ〜２１０ｅは、ベルト２２の表面に沿って搬送方向に交差する方向へ一列に並べられている。具体的には、図２に示したように、用紙の搬送方向にＹ軸をとり、ベルト２２の表面に沿ってＹ軸に交差するＸ軸をとり、Ｘ軸及びＹ軸に交差するＺ軸をとった場合、照射ユニット２１０ａ〜２１０ｅは、Ｘ軸の方向（ベルト２２の幅方向）に沿って一列に配置されている。光発生部２１は、制御部５０の制御の下、レーザー光が照射される位置（以下、「照射位置」と称する）に用紙Ｐが搬送されてきている場合にレーザー出力を行う。
【００１９】
図３は、図１に示した光発生部２１と電力供給部２６とを拡大した図である。電力供給部２６は、給電ラインＬ１，Ｌ２，Ｌ３と、第１の給電部材６１と、第２の給電部材６２と、保護部材６３とを備える。第１の給電部材６１、第２の給電部材６２及び保護部材６３はいずれも、光発生部２１から搬送路Ｓを挟んでレーザー光が照射される方向に設けられており、光発生部２１からの距離は第２の給電部材６２、第１の給電部材６１、保護部材６３、の順に長くなっている。また、第２の給電部材６２、第１の給電部材６１、保護部材６３はいずれもそれぞれ別体として構成されており、定着装置２０に対して着脱可能に構成され、それぞれ個別に交換が可能となっている。
【００２０】
電力供給部２６の給電ラインＬ１の一端は図示せぬ電源に接続されており、多端は第１の給電部材６１に接続されている。また、第１の給電部材６１と第２の給電部材６２とは給電ラインＬ２により接続されており、第２の給電部材６２の給電ラインＬ２が接続されていない側の端子は給電ラインＬ３に接続されている。第２の給電部材６２と光発生部２１とは給電ラインＬ３によって接続されている。電源から供給される電力は、給電ラインＬ１、第１の給電部材６１、給電ラインＬ２、第２の給電部材６２及び給電ラインＬ３を経由して光発生部２１に供給される。
【００２１】
図４は、第１の給電部材６１を図３（ａ）の矢印Ｃ１方向からみた図である。第１の給電部材６１は、端子台６１１，６１２と、複数の給電ラインＬ１１，Ｌ１２，…とを有する。図示のように、給電ラインＬ１と給電ラインＬ２は、端子台６１１，６１２を介して分線され、端子台６１１と端子台６１２は、給電ラインＬ１，Ｌ２よりも細い径の複数の給電ラインＬ１１，Ｌ１２，…により接続されている。複数の給電ラインＬ１１，Ｌ１２，…の各々は、光発生部２１のレーザー光が照射されて温度が上昇し特定の温度に達すると熱溶融により断線し、端子台６１１、６１２間の給電を遮断する。
【００２２】
図５は、第２の給電部材６２を図３（ａ）の矢印Ｃ２方向からみた図である。図示のように、第２の給電部材６２は、端子台６２１，６２２と、複数の給電ラインＬ２１，Ｌ２２，…とを有する。図示のように、給電ラインＬ２と給電ラインＬ３は、端子台６２１、６２２を介して分線され、端子台６２１，６２２は、給電ラインＬ２，Ｌ３よりも細い形状の複数の給電ラインＬ２１，Ｌ２２，…により接続されている。給電ラインＬ２１は、端子台６２１側から延伸する部材Ｌ２１１と、端子台６２２側から延伸する部材Ｌ２１２を有し、部材Ｌ２１１の一方の端部と部材Ｌ２１２の一方の端部が互いに接触するように配置されている。給電ラインＬ２２，Ｌ２３，…についても同様である。
【００２３】
部材Ｌ２２１，Ｌ２２２，…は温度に応じて形状が変形する形状記憶合金を有し、光発生部２１のレーザー光が照射されて温度が上昇し特定の温度に達すると図３（ａ）に示す状態から図３（ｂ）に示す状態に変形する。その結果、端子台６２１と端子台６２２との間の電力の供給経路が切断される。また、部材Ｌ２２１，Ｌ２２２，…は、図３（ｂ）に示す状態に変形した後、温度が下降し特定の温度に達すると、再び図３（ａ）に示す状態に変形する。その結果、端子台６２１と端子台６２２との間の電力の供給経路が接続される。
【００２４】
保護部材６３は、給電ラインＬ１１，Ｌ１２，…よりも融点が高く、給電ラインＬ１１，Ｌ１２，…よりも熱変形を生じる温度が高い部材であり、図３において保護部材６３より下に配置されている図示せぬ部材を光発生部２１から照射されるレーザー光による損傷から保護する役割を果たす。保護部材６３のレーザー光の反射率は低い方が好ましい。
【００２５】
用紙Ｐが照射位置ｐ１に配置されている状態で光発生部２１からレーザー光が照射された場合、レーザー光の一部は用紙Ｐを透過して第２の給電部材６２、第１の給電部材６１、保護部材６３の各々に達するが、その光量は第２の給電部材６２、第１の給電部材６１、保護部材６３のいずれも変形もしくは溶融させる量に達しない。
【００２６】
一方、何らかの理由により用紙Ｐが照射位置ｐ１に配置されていない状態で光発生部２１からレーザー光が照射された場合もまた、レーザー光の一部は用紙Ｐを透過して第２の給電部材６２、第１の給電部材６１、保護部材６３の各々に達するが、その光量は用紙Ｐが照射位置ｐ１に配置されている状態と比べ多く、レーザー光により第２の給電部材６２、第１の給電部材６１、保護部材６３が変形もしくは溶融する可能性がある。
【００２７】
用紙Ｐが照射位置ｐ１に配置されていない状態で光発生部２１からレーザー光が照射される状態において、給電ラインＬ１１，Ｌ１２，…が溶融するまでに要する時間は、給電ラインＬ２２，Ｌ２３，…の部材Ｌ２２１，Ｌ２２２，…が変形するまでに要する時間より長く、保護部材６３が損傷を受けるまでに要する時間は、給電ラインＬ１１，Ｌ１２，…が溶融するまでに要する時間より長い。
【００２８】
従って、用紙Ｐが照射位置ｐ１に配置されていない状態で光発生部２１からレーザー光が照射されると、まず、給電ラインＬ２２，Ｌ２３，…の部材Ｌ２２１，Ｌ２２２，…が変形し、端子台６２１と端子台６２２との間の電力の供給経路が切断される。そのため、光発生部２１からのレーザー光の照射が停止される。何らかの事情で給電ラインＬ２２，Ｌ２３，…の部材Ｌ２２１，Ｌ２２２，…が変形しない場合や、部材Ｌ２２１，Ｌ２２２，…が変形したが端子台６２１と端子台６２２との間の電力の供給経路が切断されない場合、続いて、給電ラインＬ１１，Ｌ１２，…が溶融し、端子台６１１、６１２間の電力の供給経路が切断される。
【００２９】
図１の説明に戻る。制御部５０は、ＣＰＵ（Central Processing Unit）等のプロセッサー、ＲＯＭ（Read Only Memory）、ＲＡＭ（Random Access Memory）を備える。ＲＯＭにはプロセッサーが実行するプログラムが記憶されている。このプログラムがプロセッサーにより実行されると、外部から受け取った画像データに応じて用紙Ｐに画像を形成する画像形成機能が実現する。また、制御部５０は光発生部２１に対する電力の供給状態を監視しており、光発生部２１に対する電力の供給が停止すると、光発生部２１からのレーザー光の照射を含む画像形成に関する処理を全て停止するように各構成部を制御する。操作部５２は、画像形成装置１を操作するための各種ボタンを備えている。制御部５０は、操作部５２において行われた操作に応じて各部を制御する。
【００３０】
表示部５４は、画像を表示する装置の一例である液晶ディスプレイ装置を備えている。表示部５４は、制御部５０により制御され、画像形成装置１を操作するためのメニュー画面を表示する。通信部５３は、外部のコンピュータ装置と通信を行う装置の一例である通信インターフェースを備えている。通信部５３は、コンピュータ装置等の他の装置から送られた画像データを受け取り、受け取った画像データを制御部５０へ供給する。記憶部５１はメモリを備えており、制御部５０に供給された画像データを記憶する。
【００３１】
＜動作＞
次いで、画像形成装置１が行う動作について説明する。画像形成装置１は、他のコンピュータ装置から画像処理が指示されたり、利用者によって操作部５２が操作されることにより画像処理が指示されたりすると、指示された内容に従って各種の画像処理を行う。画像形成処理が指示された場合には、画像形成部１０は、制御部５０の制御の下、供給された画像データに応じて感光体１０１Ｙ，１０１Ｙ，１０１Ｃ，１０１Ｋを露光装置１０３Ｙ，１０３Ｍ，１０３Ｃ，１０３Ｋにより露光して静電潜像を形成し、この静電潜像に従い現像装置１０４Ｙ，１０４Ｍ，１０４Ｃ，１０４Ｋによりトナー像を現像した後、トナー像を用紙Ｐに転写する。定着装置２０は、画像形成部１０により形成されたトナー像にレーザー光を照射することによってトナー像を用紙Ｐに定着させる。
【００３２】
ここで、光発生部２１や制御部５０等になんらかの異常が発生し、搬送路Ｓ上のレーザー光の照射位置ｐ１に用紙Ｐが搬送されていないにも関わらず、光発生部２１からレーザー光が照射されたとする。その場合、上述したように、まず第２の給電部材６２の給電ラインＬ２２，Ｌ２３，…の部材Ｌ２２１，Ｌ２２２，…が変形し、端子台６２１と端子台６２２との間の電力の供給経路が切断される。そのため、光発生部２１からのレーザー光の照射が停止される。制御部５０は光発生部２１に対する電力の供給が停止すると、例えばエラーメッセージを表示部５４に表示させた後、光発生部２１からのレーザー光の照射を含む画像形成に関する処理を全て停止するように他の構成部を制御する。光発生部２１からのレーザー光の照射が停止すると、部材Ｌ２２１，Ｌ２２２，…の温度が下降し、再度変形して、端子台６２１と端子台６２２との間の電力の供給経路が接続される。従って、画像形成装置１に生じていた異常が解消すると、例えば第２の給電部材６２の交換を要することなく、画像形成装置１は画像形成処理を再開することができる。
【００３３】
何らかの理由で上述した第２の給電部材６２による電力の供給経路の切断が行なわれない場合、上述したように、続いて第１の給電部材６１の給電ラインＬ１１，Ｌ１２，…が溶融し、端子台６１１、６１２間の電力の供給経路が切断される。そのため、光発生部２１からのレーザー光の照射が停止される。この場合も制御部５０は、例えばエラーメッセージを表示部５４に表示させた後、光発生部２１からのレーザー光の照射を含む画像形成に関する処理を全て停止するように他の構成部を制御する。この場合、画像形成装置１に生じていた異常が解消した際、溶融により損傷した第１の給電部材６１を交換することで、画像形成装置１は画像形成処理を再開することができる。
【００３４】
このように、画像形成装置１においては、何らかの異常により搬送路Ｓ上のレーザー光の照射位置ｐ１に用紙Ｐが搬送されていないにも関わらず、光発生部２１からレーザー光が照射された場合、第２の給電部材６２及び第１の給電部材６１の少なくとも一方が温度上昇に伴う物性の変化により自動的に光発生部２１への電力の供給経路を遮断する。従って、ソフト制御等を要することなく、用紙Ｐが照射位置ｐ１にないにもかかわらず光発生部２１からレーザー光が照射される、という不都合が解消される。
【００３５】
＜変形例＞
以上、本発明の実施形態について説明したが、本発明は上述した実施形態に限定されることなく、他の様々な形態で実施可能である。以下にその例を示す。なお、上述した実施形態及び以下の各変形例の態様を組み合わせてもよい。
（１）上述の実施形態では、定着装置２０が備える光発生部２１の数は１個であるが、定着装置が備える光発生部の数は２以上であってもよい。例えば、図７に示すように、ふたつの光発生部２１Ｂ，２１Ｃを備える構成であってもよい。この場合も、光発生部２１Ｂ，２１Ｃの光路上に第２の給電部材６２や第１の給電部材６１、保護部材６３が位置する構成であればよい。
【００３６】
（２）上述の実施形態では、第１の給電部材６１として、図４に示した２つの端子台６１１，６１２が複数の給電ラインＬ１１，Ｌ１２，…により接続されているものを用いたが、第１の給電部材６１の構成はこれに限らない。例えば、図８に示すように、２つの端子台６１１，６１２が１枚の帯状の給電ラインＬ３１によって接続された構成であってもよい。
【００３７】
（３）上述の実施形態では、定着装置２０は第１の給電部材６１と第２の給電部材６２とを有する。これに代えて、定着装置２０が第１の給電部材６１と第２の給電部材６２のいずれか一方のみを有する構成であってもよい。
【００３８】
（４）上述の実施形態では、第１の給電部材６１、第２の給電部材６２及び保護部材６３がそれぞれ定着装置２０に着脱可能な構成であったが、第１の給電部材６１、第２の給電部材６２及び保護部材６３のうち１以上の部材が定着装置２０に着脱不可能に固定されていてもよい。また、第１の給電部材６１、第２の給電部材６２及び保護部材６３のうち２以上の部材が一体に構成され、この一体に構成された２以上の部材が定着装置２０に対して着脱可能に構成されていてもよい。
【００３９】
（５）上述の実施形態においては、光発生部２１はレーザー光を照射する。これに代えて、光発生部２１がレーザー光以外の光を照射する構成が採用されてもよい。
また、上述の実施形態では、第１の給電部材６１と第２の給電部材６２は、レーザー光が照射されることにより光発生部２１への給電を遮断したが、給電を遮断させるものでなくてもよい。例えば、第１の給電部材６１の給電ラインＬ１１，Ｌ１２，…の一部が断線することにより光発生部２１への電力の供給が減少するものであってもよい。第１の給電部材６１と第２の給電部材６２は、用紙Ｐがレーザー光の照射位置にない状態におけるレーザー光の照射を予め定められた時間以上に継続して受けた場合、レーザー光が照射されることにより光発生部２１への電力の供給が減少するように物性が変化するものであればよい。
【符号の説明】
【００４０】
１…画像形成装置、１０…画像形成部、２０…定着装置、２１…光発生部、２２…ベルト、２３…ロール、２４…ロール、２５…リフレクター、２６…電力供給部、３０…ロール、４０…、５０…制御部、５１…記憶部、５２…操作部、５３…通信部、５４…表示部、６１…第１の給電部材、６２…第２の給電部材、６３…保護部材、１００Ｙ，１００Ｍ，１００Ｃ，１００Ｋ…画像形成ユニット、１０１Ｙ，１０１Ｍ，１０１Ｃ，１０１Ｋ…感光体、１０２Ｙ，１０２Ｍ，１０２Ｃ，１０２Ｋ…帯電装置、１０３Ｙ，１０３Ｍ，１０３Ｃ，１０３Ｋ…露光装置、１０４Ｙ，１０４Ｍ，１０４Ｃ，１０４Ｋ…現像装置、１０５Ｙ，１０５Ｍ，１０５Ｃ，１０５Ｋ…ロール、１０６Ｙ，１０６Ｍ，１０６Ｃ，１０６Ｋ…クリーニング装置、２１０ａ，２１０ｂ，２１０ｃ，２１０ｄ，２１０ｅ…照射ユニット、２１１…光源、２１２…照射部。
【図１】
2014074847.tif 000003
【図２】
2014074847.tif 000004
【図３】
2014074847.tif 000005
【図４】
2014074847.tif 000006
【図５】
2014074847.tif 000007
【図６】
2014074847.tif 000008
【図７】
2014074847.tif 000009
【図８】
2014074847.tif 000010